【事件の表示】
　特許第２７１１４４３号「ウインチ装置」の請求項１に係る特許に対する特許異議の申立てについて、次のとおり決定する。
【結論】
　訂正を認める。
　特許第２７１１４４３号の請求項１に係る特許を取り消す。
　同請求項２ないし５に係る特許を維持する。
【理由】
（１）手続の経緯
　特許第２７１１４４２号の請求項１乃至５に係る発明は、平成７年９月１８日に特許出願され、平成９年１０月３１日にその特許の設定登録がなされ、その後、株式会社三井三池製作所より特許異議の申立てがなされ、取消理由通知がなされ、その指定期間内である平成１１年１月４日に訂正請求がなされたものである。
（２）訂正の適否についての判断
ア．訂正の内容
　特許権者が求めていている訂正の内容は、以下のａｂｃのとおりである。
ａ　請求項１を削除し、請求項２〜５を繰上げて、請求項１〜４と訂正する。
ｂ　発明の詳細な説明中の課題を解決するための手段を、特許請求の範囲の訂正に伴い、訂正する。
ｃ　特許明細書段落【００１２】の「すなわち溝なし部の区間が長すぎると、空間が大きすぎて上からロープが食い込みやすく、逆にαが大きく溝なし部の区間が短すぎると、空間は小さくなるがロープの角度変化が大きすぎて滑らかに曲らなくなる。」を「すなわち溝なし部の区間が長すぎると、ロープが食い込みにくい。逆にαが大きく溝なし部の区間が短すぎると、ロープの角度変化が大きすぎて滑らかに曲らなくなる。」に訂正する。
イ．訂正の目的の適否、新規事項の追加の有無・変更の存否
　上記ａの訂正は、特許請求の範囲の減縮に該当し、新規事項の追加に該当せず、実質的に特許請求の範囲を拡張又は変更するものではなく、訂正後の特許請求の範囲に記載された発明が出願の際独立して特許を受けることができるものである。
　上記ｂの訂正は、特許請求の範囲の訂正に伴うもので、明りょうでない記載の釈明の該当し、新規事項の追加に該当せず、実質的に特許請求の範囲を拡張又は変更するものではない。
　上記ｃの訂正は、明りょうでない記載の釈明及び誤記の訂正に該当し、新規事項の追加に該当せず、実質的に特許請求の範囲を拡張又は変更するものではない。
ウ．むすび
　以上のとおりであるから、上記訂正は、特許法第１２０条の４第２項及び同条第３項で準用する第１２６条第２−４項の規定に適合するので、当該訂正を認める。
（３）特許異議の申立てについての判断
　訂正明細書の請求項１に係る発明は、訂正の結果登録時の請求項２に係る発明となったので、訂正明細書の請求項１に係る発明を特許異議の申立ての理由では、取消すことはできない。
　よって、結論のとおり決定する。
【異議決定日】
平成１１年４月１２日（１９９９．４．１２）
【訂正の要旨】
ａ　請求項１を削除し、請求項２〜５を繰上げて、請求項１〜４と訂正する。
ｂ　発明の詳細な説明中の課題を解決するための手段を、特許請求の範囲の訂正に伴い、訂正する。
ｃ　特許明細書段落【００１２】の「すなわち溝なし部の区間が長すぎると、空間が大きすぎて上からロープが食い込みやすく、逆にαが大きく溝なし部の区間が短すぎると、空間は小さくなるがロープの角度変化が大きすぎて滑らかに曲らなくなる。」を「すなわち溝なし部の区間が長すぎると、ロープが食い込みにくい。逆にαが大きく溝なし部の区間が短すぎると、ロープの角度変化が大きすぎて滑らかに曲らなくなる。」に訂正する。
（５４）【発明の名称】
ウインチ装置
（５７）【特許請求の範囲】
　【請求項１】　ドラムの巻胴面にロープ案内の溝を円周方向に複数並行して設けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部の方に向けてロープの巻取りを開始するようにし、前記ドラムを同軸に巻取り部と繰出し部の二つの巻胴面を備えた構造とし、巻取り部では巻胴面端の溝なし部と溝部との境界またはその境界に近い溝なし部からその境界に接した溝部に向けてロープの巻取りを開始すると共に、繰出し部では巻胴面端で溝なし部と溝部の前記巻取り部とは反対側の境界またはこの境界に近い溝なし部からこの境界に接した溝部に向けて巻取り部とは反対方向にロープの巻取りを開始するようにし、
更に溝なし部を巻胴面の円周の所定の一区間に設け、巻胴面端のロープの巻取り開始位置にロープ端を巻胴面からドラムの溝なし部内側部分へ向け斜めに引き込む孔を設け、孔に通したロープ端を巻胴面側からねじ込んだ止めネジで締付けて系止し、
　【請求項２】　
ドラムの巻胴面にロープ案内の溝を円周方向に複数平行して設けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部の方に向けてロープの巻取りを開始するようにし、前記溝なし部を巻胴面の円周の１８０°離れた二つの所定区間に設け、二つの溝なし部で隔てられた二つの溝部の一方の溝を他方の溝に対し溝ピッチを溝幅半分ずつずらして設けるようにした
　【請求項３】　
ドラムの巻胴面にロープ案内の溝を円周方向に複数平行して設けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部のほうに向けてロープの巻取りを開始するようにし、前記ドラムを同軸に巻取り部と繰り出し部の二つの巻胴面を備えた構造とし、巻取り部では巻胴面端の溝なし部と溝部との境界またはその境界に近い溝なし部からその溶解に接した溝部に向けてロープの巻取りを開始するとともに、繰出し部では巻胴面端で溝なし部と溝部の前記巻取り部とは反対側の境界またはこの境界に近い溝なし部からこの境界に接した溝部に向けて巻取り部とは反対方向にロープの巻取りを開始するようにし、溝なし部を巻胴面の１８０°離れた二つの所定区間に設け、二つの溝なし部で隔てられた二つの溝部の一方の溝を他方の溝に対し溝ピッチを溝幅半分ずつずらして設けるようにし、それぞれの巻胴面にロープを巻き方向を変えて巻き付けて、ドラムの回転でロープを同時に巻取り・繰出しするようにした
　【請求項４】　
前記溝なし部を溝部の溝底の径よりドラム内側に向け凹んだ形状とした、請求項１〜３に記載の
【発明の詳細な説明】
　【０００１】
　【発明の属する技術分野】
　本発明は、土木建設工事や荷役作業、エレベータなどに用いられ、ワイヤやロープなどを乱巻を起こさず整然と多層に巻取りまた繰出しを行えるウインチ装置に関する。
　【０００２】
　【従来の技術】
　ワイヤやロープなど（これらを本明細書の中ではロープと総称する）の巻取り・繰出しを行うウインチ装置においては、ドラムの巻胴面に巻取られるロープの一番始めの巻取層（一層目）が整然と密に巻いた状態でない、いわゆる乱巻の状態であると、二層、三層と多層に巻取りを行っていった場合、巻取ったロープとロープの間に生じた空間に、上の層のロープが、ロープに加わる緊張力により食い込んで、巻取層が崩れさらにひどい乱巻状態になるという問題があった。この状態では、ロープに過大な摩擦力が加わるため、ロープが損傷しやすいばかりでなく、巻取り・繰出しもスムーズに行えない場合があった。従来のウインチ装置としては、ドラムの巻胴面が溝なしの単純な円筒面のものや、巻胴面にロープを整列に巻取るためのらせん状のロープ案内の溝を設けたものがある。上記の乱巻の問題に対応するために、前者の巻胴面が単純な円筒面のものでは、一層目が整然と巻取られるよう手作業でロープを整列させる必要があった。そして、ロープを繰出す場合、この一層目のロープを繰出してしまうと再度手作業で整列させなければならないため、普段は一層目は繰出さず残して、二層目までしかロープを繰出さないようにしていた。こうした手作業の手間や一層目に巻いた分のロープの無駄を改善するために、ロープを自動的に整列させて巻取れるようにするロープ案内機構が付加されることもあったが、その分だけコスト高となっていた。また、後者のらせん溝付のものでは、ドラム回転のみで一層目から整列に巻取りが行えると共にロープの端まで繰出すことができるが、らせん溝の構造上、巻胴面端にロープの巻付かない部分が空間として残り、二層目以降を巻取る際にロープが食い込みやすく、乱巻の原因となることがあった。また、巻胴面に連続したらせん溝を形成するため、構造が複雑化してコストが高くなるという問題点もあった。
　【０００３】
　【発明が解決しようとする課題】
　本発明が解決しようとする課題は、上記した問題点を解消し、ロープを巻胴面に一層目から整然かつ密に空間を残さず巻取ることができ、人手を要さず容易に乱巻を起こさず巻取りおよび繰出しが行え、また、シンプルな構造で安価な、ウインチ装置を提供することにある。
　【０００４】
　【課題を解決するための手段】
　かかる課題を解決した本発明の構成は、
１）　ドラムの巻胴面にロープ案内の溝を円周方向に複数並行して設けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部の方に向けてロープの巻取りを開始するようにし、前記ドラムを同軸に巻取り部と繰出し部の二つの巻胴面を備えた構造とし、巻取り部では巻胴面端の溝なし部と溝部との境界またはその境界に近い溝なし部からその境界に接した溝部に向けてロープの巻取りを開始すると共に、繰出し部では巻胴面端で溝なし部と溝部の前記巻取り部とは反対側の境界またはこの境界に近い溝なし部からこの境界に接した溝部に向けて巻取り部とは反対方向にロープの巻取りを開始するようにし、
更に溝なし部を巻胴面の円周の所定の一区間に設け、巻胴面端のロープの巻取り開始位置にロープ端を巻胴面からドラムの溝なし部内側部分へ向け斜めに引き込む孔を設け、孔に通したロープ端を巻胴面側からねじ込んだ止めねじで締付けて係止し、
２）　
ドラムの巻胴面にロープ案内の溝を円周方向に複数平行しても受けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部のほうに向けてロープの巻取りを開始するようにし、前記溝なし部を巻胴面の円周の１８０°離れた二つの所定区間に設け、二つの溝なし部で隔てられた二つの溝部の一方の溝を他方の溝に対し溝ピッチを溝幅半分ずつずらして設けるようにした
３）　
ドラムの巻胴面にロープ案内の溝を円周方向に複数平行しても受けると共に、巻胴面の円周の所定区間に前記溝のない溝なし部をドラムの回転軸と平行方向全長に渡って設け、ドラム側壁に接した巻胴面端の溝なし部と溝部との境界またはその境界に近い溝なし部から境界に接した溝部のほうに向けてロープの巻取りを開始するようにし、前記ドラムを同軸に巻取り部と繰出し部の二つの巻胴面を備えた構造とし、巻取り部では巻胴面端の溝なし部と溝部との境界またはその境界に近い溝なし部からその境界に接した溝部に向けてロープの巻取りを開始すると共に、繰出し部では巻胴面端で溝なし部と溝部の前記巻取り部とは反対側の境界またはこの境界に近い溝なし部からこの境界に接した溝部に向けて巻取り部とは反対方向にロープの巻取りを開始するようにし、溝なし部を巻胴面の１８０°離れた二つの所定区間に設け、二つの溝なし部で隔てられた二つの溝部の一方の溝を他方の溝に対し溝ピッチを溝幅半分ずつずらして設けるようにしたそれぞれの巻胴面にロープを巻き方向を変えて巻付けて、ドラムの回転でロープを同時に巻取り・繰出しするようにした
４）　
前記溝なし部を溝部の溝底の径よりドラム内側に向け凹んだ形状とした、前記１）〜３）に記載の
　【０００５】
　本発明において巻取り・繰出すロープには、一般のロープの他、ワイヤや、ワイヤを撚ったワイヤロープ、ケーブルなどを含み、いずれを使用してもかまわない。
　【０００６】
　【作用】
　本発明のウインチ装置では、ドラムを回転させると、ドラムに一端を係止したロープが巻胴面端の溝なし部と溝部との境界またはこの境界に近い溝なし部から巻胴面に巻付き始め、溝に従って巻取られていく。巻胴面が一周すると、ロープは始めの溝なし部へ達し、境界付近でロープの巻始め部分に重なった際に横にずれて隣の溝に移動する。溝なし部はこのロープの横移動を規制するものがないので、この位置でロープの巻取られる溝をスムーズに変えてロープを整列に巻取っていく。二周目以降は、溝なし部において一周前に巻取ったロープに沿って新しく巻取られるロープが横に移動し、隣の溝に新たに巻取られていく。これにより人手を要さずドラムの回転のみで容易に整然と巻取ることができる。また、ロープは巻胴面端から溝に従って密に巻き取られるので、巻胴面上にほとんど空間が生じず、多層にロープを巻取ってもロープの食い込みがなく乱れ巻も起こらない。ロープを巻胴面の他端まで巻取ると、ロープは溝なし部において一周前に巻取ったロープの上に重なり、それから横にずれて一周前に巻取ったロープともう一周前に巻取ったロープとの間に生じた凹み上に移動し、二層目の巻始めとなる。これ以降は一層目と同様ちょうど溝なし部の位置で前に巻取ったロープに沿って新しく巻取られるロープが横に移動し、隣のロープ間の凹み上に新たに巻取られていく。この後は同様の巻取りが繰返され、三層目以降さらに多層に巻胴面にロープを整然と巻取っていく。
　逆にロープをドラムの回転と共に繰出す場合でも、一層目からドラム回転のみで整然と巻取ることが可能なことから、最後までロープを繰出すことができ、再度巻取る場合も容易である。
　【０００７】
　ドラムが巻取り部と繰出し部の二つの巻胴面をもつ構成では、始めに繰出し部になる方の巻胴面に、ロープを溝およびロープ間凹みに合わせて整然と多層に巻取っておく。ロープは溝なし部で位置をずらしながら密に巻取られた状態であり、繰出しがスムーズに行える。負荷物の引き上げあるいは引き寄せに必要十分なロープ長さを残して繰出し部に巻取ったら、ロープの反対側の端を繰出し部における巻き方向と逆向きに巻付くよう巻取り部に係止する。この状態でドラムを回転させ、二つの巻胴面で同時にロープの巻取りおよび繰出しを行って負荷物を動かす。巻取り部である巻胴面に一定巻数ロープを巻取ってからドラムを逆回転させると、巻取りと繰出しが逆に行え、負荷物を逆方向に動かせる。二つの巻胴面上で、巻取りまたは繰出しは常に整然かつスムーズに行うことができる。
　【０００８】
　溝なし部を巻胴面の所定の一区間に設け、この溝なし部の内側部分でロープ端を係止させる構成では、ロープの一端を巻胴面端の溝なし部と溝部の境界の孔からドラム内へ入れ、溝なし部の内側部分で巻胴面からの止めねじの締付けにより外れないよう係止する。ロープはドラムを回転させると、孔から巻胴面への巻付きを開始し、溝に従って巻取られていく。巻胴面が一周すると、ロープは溝部から溝なし部へ達し、溝なし部の境界の孔から突出した状態のロープの巻始めに重なった際に横にずれて隣の溝に移動する。これ以降は、前記の場合と同様溝なし部の位置で前に巻取ったロープに沿って新しく巻取られるロープが横に移動し、一層目では隣の溝に、二層目より後では隣のロープ間の凹み上に整然と密に巻取りが繰返される。
　【０００９】
　溝なし部を巻胴面の１８０゜離れた円周の所定の二つの区間に設けると共に、溝部の一方の溝ピッチをずらした構成では、巻胴面端の溝なし部と溝部の境界またはその境界に近い溝なし部の位置からロープを巻取り始め、巻胴面が半周すると、ロープはもう一つの溝なし部に達する。その先の溝部は、ロープがこれまで案内されてきた溝部に対し溝ピッチが溝幅半分ずつずれているので、ロープがここに達したときにはちょうど溝と溝の間に載り、それから横にずれて溝幅半分だけ移動して新しい溝に収まる形となる。ロープが、巻胴面端から溝幅半分だけ離れたこの溝に案内された状態で、巻胴面がさらに半周して合計一周すると、ロープが始めの溝なし部に達し、この溝なし部と一番始めに案内されていた溝との境界付近のロープ巻始め部分に重なって横にずれ、隣の溝に移動する。この溝は、これまで案内されてきた溝から溝幅半分だけずれており、ロープは巻胴面半周で溝幅半分だけ横に移動し、巻胴面一周で溝一つ分移動したことになる。二周目以降は、溝に案内されるロープが、各溝なし部において前に巻取ったロープに沿って横に移動し、それぞれ溝幅半分ずれた溝に新たに巻取られていく。ロープを巻胴面の他端まで巻取ると、ロープは溝なし部において溝幅半分ずつずれて巻取られている一周前のロープに半分重なった状態で巻胴面端に沿って上層に巻取られ、二層目の巻始めとなる。次の溝なし部で一周前に巻取ったロープに重なり、それから横にずれて一周前に巻取ったロープともう一周前に巻取ったロープとの間に生じた凹み上に移動し、凹みに従って巻取られる。これ以降は一層目と同様ロープが、各溝なし部において前に巻取ったロープに沿って横に溝半分ずれたロープ間凹み上に新たに巻取られていき、ロープが巻胴面端に達すると、前記同様一周前のロープに半分重なりながら層を増していく。こうしてドラムの回転のみでロープを各層同じ状態として密に整然と巻取ることができる。
　【００１０】
　溝なし部をドラム内側に向け凹んだ形状とした構成では、一層目に巻取られるロープが溝なし部において前に巻取ったロープに沿って横に移動する際、凹み形状によりロープと巻胴面との接触が少なく、摩擦が減ってスムーズな巻取りが可能となる。また、巻取った状態において、溝なし部では二層目以降ロープが下層のロープと交差する形になる分、他の巻胴面部分より盛上がった状態となっていたのを、凹み形状に伴ってロープ位置が下がることで盛上がりを小さくでき、盛上がりが原因で多層に巻くほどロープに無理な力が加わるのを防げる。
　【００１１】
　【発明の実施の形態】
　本発明のウインチ装置で、ドラムの巻胴面に設けるロープ案内用の溝は、ウインチ装置の使用条件や負荷に応じて決められたロープ径に合わせて、溝幅および溝深さを設定して用いるのが望ましい。
　【００１２】
　巻胴面上の溝をなくした溝なし部は、巻胴面の円周の所定区間にドラムの回転軸と平行方向全長に渡って設ける。通常、巻胴面の両端にはロープの巻付かない空間が生じるが、上層のロープがここに食い込んで乱巻になるのを防ぐため、この空間はなるべく小さくするのがよい。この空間の大きさは、ロープ径が一定ならば、ロープが溝なし部において溝から溝へ移る角度αまたは溝なし部の区間の長さの値で決まる。ここでαがあまりに小さい、すなわち溝なし部の区間が長すぎると
、ロ
にくい。
、ロ
　【００１３】
　溝なし部を巻胴面に複数に分けて設ける場合は、複数の溝なし部を巻胴面円周に同じ区間幅で等分の間隔に配置するのが望ましい。また、溝なし部においてロープの巻取り位置を動かしていくので、複数の溝なし部で分割された溝部は、溝なし部の数に合わせて適宜溝ピッチをずらして、巻動面が一周した時にロープがちょうど一本分横に移動できるように調節する。
　【００１４】
　溝なし部は巻動面から溝をなくした単純な円筒面状、またはこの部分にあまりロープが接触しないようにドラム内側に向けて凹ませた形状の、いずれでもよい。
　【００１５】
　【実施例】
　本発明の実施例１，２，３を図面に基づいて説明する。実施例１はドラム巻胴面に溝なし部を一区間設け、ドラムの溝なし部内側にロープ端を係止するようにしたウインチ装置の例、実施例２はドラム巻胴面に溝なし部を１８０゜離れた二区間で設け、一方の溝部の溝ピッチを溝幅半分ずつずらし、ドラム側面にロープ端を係止するようにした例、実施例３は巻取り部と繰出し部の二つの巻胴面を備えたドラムを設けた例である。
　図１は実施例１を示す斜視図、図２は実施例１のドラムを示す平面図、図３は実施例１のドラムを示す一部切欠した左側面図、図４は実施例１によるドラムへの巻取り状態を示す説明図、図５は実施例１のドラムの他の例を示す一部切欠した左側面図、図６は実施例２のドラムを示す平面図、図７は実施例２のドラムを示す一部切欠した左側面図、図８は実施例２によるドラムへの巻取り状態を示す説明図、図９は実施例３を示す斜視図である。
　【００１６】
　実施例１のウインチ装置１は、直径１２．５ｍｍのロープ９を巻付けるベッド２上の回動自在なドラム３の巻胴面４（直径３４５ｍｍ）に、巻胴面４円周方向に複数並行させたロープ９用溝５を設けている。この溝５は、巻胴面４に山部５ａを１３ｍｍ間隔で設けることで、その間に形成される。巻胴面４には、山部５ａを除去して溝５をなくした溝なし部４ａを巻胴面４円周の角度θの区間にドラムの回転軸と平行方向全長に渡って設ける。この溝なし部４ａにおいて、ロープ９の溝から溝へ移る角度αが、側壁３ａに接する巻胴面４両端に生じるロープ９の巻付かない空間４ｄをなるべく小さくすると共にロープ９を無理なく溝から溝に移せる、最適なα＝４゜という値をとるように、実施例１での溝なし部４ａの円周区間の角度θを６０゜としている。巻胴面４上の溝５のある溝部４ｂと溝なし部４ａの境界で側壁３ａに接した位置には、ロープ端９ａをドラム３内に引き込む孔６をドラム３の一部を貫通するように設け、ここに通したロープ端９ａを巻胴面４から三本の止めねじ７ａで締付ける仕組みとしている。
　【００１７】
　実施例１のウインチ装置１のドラム３の他の例として、巻胴面４の溝なし部４ａを、溝部４ｂの溝底面と同一円筒面からドラム３内側に向けて凹んだ形状とし、巻胴面４に巻付けたロープ９が溝なし部４ａで溝部４ｂより内側を通るようにした例を示す（図５参照）。溝なし部４ａは角度θの区間にドラムの回転軸と平行方向全長に渡ってドラム３の一部を除去した凹部３ｄからなっている。凹部３ｄ以外の部分は実施例１の上記のドラム３と同一である。
　【００１８】
　実施例１のウインチ装置１の使用方法は、まず、ロープ９の一端を巻胴面４端の孔６に通し、止めねじ７ａで締付けて確実に係止する。ドラム３を回転させると、ロープ９は孔６位置から巻胴面４への巻付きを開始し、溝５に従って巻取られる。巻胴面４が一周してロープ９が溝部４ｂから溝なし部４ａに達すると、孔６から出ているロープ９の巻始めに重なり、そこから横にずれて隣の溝５位置に移動する。後は、ドラム３の回転でロープ９が溝なし部４ａに達するたびに、一周前に巻取ったロープ９に沿って隣の溝５位置まで横に移動して巻取られる。ロープ９が巻胴面４の反対端まで巻取られて一層目が終了すると、溝なし部４ａの位置でロープ９は一周前に巻取ったロープ９に重なって二層となり、ここからロープ間凹み９ｂに従って二層目が巻き取られていく。二層目以降でも、ロープ９が溝なし部４ａに達するたびに、一周前に巻取ったロープ９に沿って隣のロープ間凹み９ｂ位置まで横に移動して、整然と巻取りが繰返される。巻胴面４上に多層にロープ９を巻取っても、巻胴面４両端に生じる空間４ｄが小さく、ロープ９も食い込みにくいので乱巻にならず、繰出しの際も一層目の最後までスムーズにロープ９を繰出すことができる。
　【００１９】
　実施例２のウインチ装置１は、ドラム３以外の部分は実施例１と同一である。ロープ９には直径１０ｍｍのものを用い、このロープ９を巻付けるドラム３の巻胴面４（直径１９４ｍｍ）に、巻胴面４円周方向に並行させたロープ９用溝５を設けている。また、巻胴面４には実施例１同様の溝なし部４ａを、巻胴面４の１８０゜離れた円周の二つの角度θの区間にドラムの回転軸と平行方向全長に渡って設ける。巻胴面４両端に生じるロープ９０巻付かない空間４ｄをなるべく小さくすると共に、ロープ９を無理なく溝から溝に移せるよう、二つの溝なし部４ａの円周区間の角度θはそれぞれ３０゜としている。この二つの溝なし部４ａで隔てられる二つの溝部４ｂ，４ｃのうち、一方の溝部４ｃの溝５を、他方の溝５に対し溝ピッチを溝幅Ｗの半分ずつずらして設けている。巻胴面４上の二つの溝部４ｂ，４ｃのうち側壁３ａとずれた溝５が接している側の溝部４ｃと溝なし部４ａにまたがるような孔６を側壁３ａに設け、ここからロープ端９ａをドラム３側面に引き出し、ドラム３側面にねじ止めする係止具８でロープ端９ａを締付けて係止する構造としている。
　【００２０】
　実施例のウインチ装置１の使用方法は、まず、ロープ９の一端を側壁３ａの孔６に通し、ロープ端９ａを係止具８に挟んで締付けて確実に係止する。ドラム３を回転させると、ロープ９は孔６の横から巻胴面４への巻付きを開始し、側壁３ａに完全な溝５が接する方の溝部４ｂの溝５に従って巻取られていく。巻胴面４が半周すると、ロープ９はもう一つの溝なし部４ａおよびその先の溝ピッチのずれた溝部４ｃに達し、ロープ９がずれた溝５の山部５ａに載り、そこから横の溝幅Ｗの半分だけずれた溝５位置に移動する。ロープ９がこのずれた溝５に案内された状態で、巻胴面４がさらに半周して合計一周すると、ロープ９は始めの溝なし部４ａおよびその先のずれてない溝部４ｂに達し、ロープ９の巻始めに重なり、そこから横にずれて前記同様溝幅Ｗの半分移動して、巻胴面４一周で合計溝一つ分横に移動した状態となる。この後は、ドラム３の回転でロープ９が溝なし部４ａに達するたびに一周前に巻取ったロープ９に沿って溝幅Ｗの半分だけずれた溝５位置まで横に移動しながら巻取られていく。ロープ９が巻胴面４の反対端まで巻取られて一層目が終了すると、溝なし部４ａの位置でロープ９は一周前に巻取ったロープ９に半分重なった状態で側壁３ａに沿って二層となり、ここからロープ間凹み９ｂに従って二層目が巻取られていく。二層目以降も、ロープ９が溝なし部４ａに達するたびに一周前に巻取ったロープ９に沿って溝幅Ｗの半分だけずれたロープ間凹み９ｂ位置まで横に移動して、整然と巻取りが繰返される。巻胴面４上に多層にロープ９を巻取っても、どの層も一層目と同じ形に巻取ることができ、巻胴面４両端に生じる空間４ｄにロープ９が食い込みにくく乱巻にならない。
　【００２１】
　実施例３のウインチ装置１は、実施例１と同形のドラムを二個、同一回転軸でロープの巻き方向が互いに逆になるように接合した形状のドラム３を用い、ドラム３以外の構造は実施例１と同様である。ドラム３は二つの巻胴面４を備えてそれぞれ巻取り部３ｂと繰出し部３ｃとし、巻取り部３ｂと繰出し部３ｃにおけるロープ９巻取り開始点のある溝なし部４ａと溝部４ｂとの境界位置およびロープ９の巻き方向をそれぞれ互いに反対となるようにしている。これら二つの巻胴面４にロープ９を巻き方向を反対にして所定巻数巻付けると、ドラム３の回転でロープ９を同時に巻取り・繰出しすることができる（図９参照）。巻胴面４にロープ９が巻付く仕組みは、巻取り部３ｂと繰出し部３ｃそれぞれ実施例１と同じである。
　【００２２】
　【発明の効果】
　本発明は、巻胴面に円周方向の溝および溝なし部を設ける構成を採用することにより、ロープを整然と巻取ると共に巻胴面両端の空間を小さく抑えて、容易に乱巻のない多層巻取りができ、スムーズにロープの巻取りおよび繰出しが行える。また、巻胴面の円周方向の溝のみでロープを整然と案内できる仕組みのため、構造が簡単かつ製造が容易で、安価な装置にできる。
　【００２３】
　溝なし部を巻胴面の１８０゜離れた円周の所定の二つの区間に設けると共に、溝部の一方の溝ピッチを溝幅半分ずらした構成を採用すると、巻取りの際にロープが溝なし部を隣の溝あるいはロープ間凹みへ横に移動する量が減り、より巻取りをスムーズに行える。
【図面の簡単な説明】
　【図１】
　実施例１を示す斜視図である。
　【図２】
　実施例１のドラムを示す平面図である。
　【図３】
　実施例１のドラムを示す一部切欠した左側面図である。
　【図４】
　実施例１によるドラムへの巻取り状態を示す説明図である。
　【図５】
　実施例１のドラムの他の例を示す一部切欠した左側面図である。
　【図６】
　実施例２のドラムを示す平面図である。
　【図７】
　実施例２のドラムを示す一部切欠した左側面図である。
　【図８】
　実施例２によるドラムへの巻取り状態を示す説明図である。
　【図９】
　実施例３を示す斜視図である。
　【符号の説明】
　１　　ウインチ装置
　２　　ベッド
　３　　ドラム
　３ａ　側壁
　３ｂ　巻取り部
　３ｃ　繰出し部
　３ｄ　凹部
　４　　巻胴面
　４ａ　溝なし部
　４ｂ　溝部
　４ｃ　溝部
　４ｄ　空間
　５　　溝
　５ａ　山部
　６　　孔
　７　　止めねじ孔
　７ａ　止めねじ
　８　　係止具
　９　　ロープ
　９ａ　ロープ端
　９ｂ　ロープ間凹み
　１０　減速機付モータ